(57)【要約】【課題】  媒体給送毎のキャリッジの移動時間を短縮させてスループットを向上させることができる媒体給送装置及び記録装置を提供すること。【解決手段】  キャリッジ１５３は、一側端部側から他側端部側への移動中にヘッドの作動が終了した場合、所定距離移動して一旦停止し、その後に特定位置へ移動して停止する。また、他側端部側から一側端部側への移動中にヘッドの作動が終了した場合、キャリッジの位置が特定位置より他側端部側にあるときは特定位置で停止し、キャリッジの位置が特定位置より一側端部側にあるときは所定距離移動して一旦停止し、その後に特定位置へ移動して停止する。これにより、キャリッジは現在の媒体処理が完了した後、キャリッジの移動経路途中の特定位置に配設されている切替手段に常に移動するので、次の媒体処理に短時間で取り掛かることができる。【選択図】      図１６
2006116828.tif 000002
【特許請求の範囲】
【請求項１】
少なくとも異なる２経路から給送される媒体の一側端部側と他側端部側との間を往復移動して搭載されているヘッドが作動するキャリッジと、
前記キャリッジの移動経路途中の特定位置に配設され、当該特定位置に位置する前記キャリッジにより動作制御されることにより、前記２経路の給送を切り替えて給送させる切替手段とを備えた媒体給送装置であって、
前記キャリッジは、前記一側端部側から前記他側端部側への移動中に前記ヘッドの作動が終了した場合、所定距離移動して一旦停止し、その後に前記特定位置へ移動して停止するようにし、
前記キャリッジは、前記他側端部側から前記一側端部側への移動中に前記ヘッドの作動が終了した場合、前記キャリッジの位置が前記特定位置より前記他側端部側にあるときは前記特定位置で停止し、前記キャリッジの位置が前記特定位置より前記一側端部側にあるときは所定距離移動して一旦停止し、その後に前記特定位置へ移動して停止するようにしたことを特徴とする媒体給送装置。
【請求項２】
前記キャリッジの停止動作は、前記媒体が連続給送されるときに当該媒体毎に実行されることを特徴とする請求項１に記載の媒体給送装置。
【請求項３】
現在の給送媒体に対して次の給送媒体が無いときは、前記キャリッジは、移動中に前記ヘッドの作動が終了した場合、前記ヘッドのメンテナンス位置で停止することを特徴とする請求項２に記載の媒体給送装置。
【請求項４】
前記特定位置は、前記キャリッジの前記一側端部側における移動開始位置と前記他側端部側における移動開始位置の間に配置されていることを特徴とする請求項１〜３の何れか一項に記載の媒体給送装置。
【請求項５】
前記キャリッジは、次の給送媒体が無く、現在の給送媒体が排出されるとき、当該媒体の一側端部よりも前記キャリッジの待機位置側に退避していることを特徴とする請求項１〜４の何れか一項に記載の媒体給送装置。
【請求項６】
キャリッジを少なくとも異なる２経路から給送される媒体の一側端部側と他側端部側との間で往復移動させて搭載されているヘッドを作動させる際、前記キャリッジの移動経路途中の特定位置に配設された切替手段を、当該特定位置に位置する前記キャリッジにより動作制御させることにより、前記２経路の給送を切り替えて給送させる媒体給送方法であって、
前記キャリッジを前記一側端部側から前記他側端部側へ移動させているときに前記ヘッドの作動が終了した場合、所定距離移動させて一旦停止させ、その後に前記特定位置へ移動させて停止させるようにし、
前記キャリッジを前記他側端部側から前記一側端部側へ移動させているときに前記ヘッドの作動が終了した場合、前記キャリッジの位置が前記特定位置より前記他側端部側にあるときは前記特定位置で停止させ、前記キャリッジの位置が前記特定位置より前記一側端部側にあるときは所定距離移動させて一旦停止させ、その後に前記特定位置へ移動させて停止させてから、次の給送動作を行うようにしたことを特徴とする媒体給送方法。
【請求項７】
媒体に記録する記録装置であって、
請求項１〜５の何れか一項に記載の媒体給送装置を備えたことを特徴とする記録装置。
【請求項８】
被噴射媒体に液体を噴射する液体噴射装置であって、
請求項１〜５の何れか一項に記載の媒体給送装置を備えたことを特徴とする液体噴射装置。
【発明の詳細な説明】
【技術分野】
【０００１】
本発明は、媒体を搬送する媒体給送装置及び媒体給送方法並びにその媒体給送装置を備えた記録装置と液体噴射装置に関する。
【背景技術】
【０００２】
記録装置の１つであるインクジェット式プリンタは、一般に用紙を供給する給送装置及び用紙を搬送する搬送装置と、記録ヘッドが搭載され用紙搬送直交方向（主走査方向）に往復移動するキャリッジを備えている。そして、給送装置の駆動源として搬送装置の紙送りモータを利用している場合には、紙送りモータから給送装置への駆動力の伝達をオン・オフするクラッチ機構が配設されている。このクラッチ機構は、その操作部がキャリッジと係合することにより切り替えられるようになっている。
【０００３】
ここで、キャリッジは主走査方向に往復移動するため、操作部がキャリッジの移動可能範囲の一端側のみに配設されていると、移動方向によっては操作部との係合に時間が掛かる場合がある。そこで、操作部をキャリッジの移動可能範囲の両端側に配設し、操作部との係合を容易にしたインクジェット式プリンタが提案されている。
【０００４】
【特許文献１】特開２００４−３４４７０号公報
【発明の開示】
【発明が解決しようとする課題】
【０００５】
上述したインクジェット式プリンタにて連続給紙で記録する場合、キャリッジは給紙毎に移動可能範囲の何れか一方の端側に配設されているクラッチ機構の操作部まで移動し、その後に記録開始位置まで移動しなければならないので、無駄な動作が発生してスループットが遅くなる場合がある。
【０００６】
本発明は、上記のような種々の課題に鑑みなされたものであり、その目的は、媒体給送毎のキャリッジの移動時間を短縮させてスループットを向上させることができる媒体給送装置及び媒体給送方法並びにその媒体給送装置を備えた記録装置と液体噴射装置を提供することにある。
【課題を解決するための手段】
【０００７】
上記目的達成のため、本発明の媒体給送装置では、少なくとも異なる２経路から給送される媒体の一側端部側と他側端部側との間を往復移動して搭載されているヘッドが作動するキャリッジと、前記キャリッジの移動経路途中の特定位置に配設され、当該特定位置に位置する前記キャリッジにより動作制御されることにより、前記２経路の給送を切り替えて給送させる切替手段とを備えた媒体搬送装置であって、前記キャリッジは、前記一側端部側から前記他側端部側への移動中に前記ヘッドの作動が終了した場合、所定距離移動して一旦停止し、その後に前記特定位置へ移動して停止するようにし、前記キャリッジは、前記他側端部側から前記一側端部側への移動中に前記ヘッドの作動が終了した場合、前記キャリッジの位置が前記特定位置より前記他側端部側にあるときは前記特定位置で停止し、前記キャリッジの位置が前記特定位置より前記一側端部側にあるときは所定距離移動して一旦停止し、その後に前記特定位置へ移動して停止するようにしたことを特徴としている。これにより、キャリッジは現在の媒体処理が完了した後、キャリッジの移動経路途中の特定位置に配設されている切替手段に常に移動するので、次の媒体処理に短時間で取り掛かることができる。
【０００８】
また、前記キャリッジの停止動作は、前記媒体が連続給送されるときに当該媒体毎に実行されることを特徴としている。これにより、連続処理のスループットを向上させることができる。また、現在の給送媒体に対して次の給送媒体が無いときは、前記キャリッジは、移動中に前記ヘッドの作動が終了した場合、前記ヘッドのメンテナンス位置で停止することを特徴としている。これにより、媒体が最後のとき、もしくは１枚のみのときに次の処理に備えてヘッドのメンテナンス作業を直に実行することができる。
【０００９】
また、前記特定位置は、前記キャリッジの前記一側端部側における移動開始位置と前記他側端部側における移動開始位置の間に配置されていることを特徴としている。これにより、キャリッジの移動距離を短縮させることができる。また、前記キャリッジは、次の給送媒体が無く、現在の給送媒体が排出されるとき、当該媒体の一側端部よりも前記キャリッジの待機位置側に退避していることを特徴としている。これにより、媒体幅からヘッドが外れるため、媒体との接触によるヘッド汚染を防止することができる。
【００１０】
上記目的達成のため、本発明では、キャリッジを少なくとも異なる２経路から給送される媒体の一側端部側と他側端部側との間で往復移動させて搭載されているヘッドを作動させる際、前記キャリッジの移動経路途中の特定位置に配設された切替手段を、当該特定位置に位置する前記キャリッジにより動作制御させることにより、前記２経路の給送を切り替えて給送させる媒体給送方法であって、前記キャリッジを前記一側端部側から前記他側端部側へ移動させているときに前記ヘッドの作動が終了した場合、所定距離移動させて一旦停止させ、その後に前記特定位置へ移動させて停止させるようにし、前記キャリッジを前記他側端部側から前記一側端部側へ移動させているときに前記ヘッドの作動が終了した場合、前記キャリッジの位置が前記特定位置より前記他側端部側にあるときは前記特定位置で停止させ、前記キャリッジの位置が前記特定位置より前記一側端部側にあるときは所定距離移動させて一旦停止させ、その後に前記特定位置へ移動させて停止させてから、次の給送動作を行うようにしたことを特徴としている。これにより、キャリッジは現在の媒体処理が完了した後、キャリッジの移動経路途中の特定位置に配設されている切替手段に常に移動するので、次の媒体処理に短時間で取り掛かることができる。
【００１１】
上記目的達成のため、本発明では、媒体に記録する記録装置であって、上記各媒体給送装置を備えたことを特徴としている。また、被噴射媒体に液体を噴射する液体噴射装置であって、上記各媒体給送装置を備えたことを特徴としている。これにより、上記各作用効果を奏する記録装置及び液体噴射装置を提供することができる。
【発明を実施するための最良の形態】
【００１２】
図１は、本発明の一実施の形態に係る記録装置の１つであるインクジェット式複合機の外観構成の全体を示す斜視図、図２は、その内部構造を示す斜視図、図３は、その概略側面図である。このインクジェット式複合機１００は、例えばＪＩＳ規格のＬ判やＡ６判からＡ４判までのサイズの単票紙やハガキに記録することができるプリンタ機能と、ＪＩＳ規格のＡ４判までのサイズの原稿及びＵＳ規格のレターサイズまでの原稿を読み取ることができるスキャナ機能と、ＪＩＳ規格のＬ判、２Ｌ判、Ｂ５判、Ａ４判、六切り、ハガキのサイズの用紙に複写することができるコピー機能を備えている。
【００１３】
このインクジェット式複合機１００は、図１に示すように、全体が略直方体状のハウジング１０１で覆われており、下段にプリンタ１１０が配設され、上段にスキャナ１２０が配設された構成となっている。そして、背面側に給紙部１３０が配設され、前面側に給排紙部１４０が配設されている。ユーザは、記録前の用紙のセッティング方向として背面側の給紙部１３０及び前面側の給排紙部１４０の一方または両方を選択することができるので、インクジェット式複合機１００の設置位置の自由度を高めることができる。さらに、記録後の用紙は常に前面側の給排紙部１４０から排紙されるので、ユーザは用紙を容易に取り出すことができる。
【００１４】
ハウジング１０１の上面には、図１に示す矩形平板状のスキャナカバー１０２が配設されている。このスキャナカバー１０２は、前部に取っ手１０３が形成されており、後部の回転軸を中心に図示矢印ａ方向に回動可能に取り付けられている。ユーザは、スキャナ１２０を使用するときは取っ手１０３に指を差し込んでスキャナカバー１０２を開閉することができるので、原稿の出し入れを容易に行うことができる。
【００１５】
ハウジング１０１の前面両側には、図２に示す複数のインクカートリッジ１０が抜き差しされるカートリッジ収納部１０４がそれぞれ形成されている。各インクカートリッジ１０は、記録用の各色のインクを貯留している。各カートリッジ収納部１０４は、図１に示す透明もしくは半透明のカートリッジカバー１０５によって覆われている。カートリッジカバー１０５は、その下部の回動軸を中心に図示矢印ｂ方向に回動可能に取り付けられている。ユーザは、従来のように重量のあるスキャナ１２０全体を持ち上げてプリンタ１１０の内部を開放しなくても、カートリッジカバー１０５を軽く押して係止部を外しカートリッジ収納部１０４を開放するのみにより、インクカートリッジ１０の交換作業等を行うことができるので、作業効率を向上させることができる。
【００１６】
ハウジング１０１の上面のスキャナカバー１０２の手前には、図１に示すように、プリンタ１１０、スキャナ１２０、コピーの各動作を指示する操作部１０６が配設されている。操作部１０６は、パワーをオン・オフするパワー系、用紙の頭出し等を操作したりインクのフラッシング等を操作する操作系、画像処理等を行う処理系等の図示しないボタン等と、状態を表示する液晶パネル１０７等を備えている。ユーザは、液晶パネル１０７を見て確認しながらボタン等を操作することができる。
【００１７】
ハウジング１０１内には、図２及び図３に示すように、給紙部１３０と給排紙部１４０、及び本発明の特徴的な部分を含む記録部１５０等が配設されている。給紙部１３０には、図１に示すように、上方に向かって矩形状に開口したリア給紙口１３１が形成され、このリア給紙口１３１の両端縁と後縁に沿ってフレーム１３２が配設されている。そして、このフレーム１３２には、図１〜図３に示すように、給紙する用紙を１枚もしくは複数枚サポートするペーパーサポート１３３と、ペーパーサポート１３３にサポートされている用紙を１枚ずつ自動的に給送する背面給紙機構（以下、リアＡＳＦという）１３４等が配設されている。このリアＡＳＦ１３４については後述し、ここではペーパーサポート１３３について説明する。
【００１８】
図４は、ペーパーサポート１３３とリアＡＳＦ１３４の詳細を示す側面図であり、図１〜図４を参照して説明する。ペーパーサポート１３３は、用紙の裏面をサポートする第１サポート２１及び第２サポート２２と、用紙の両サイドエッジをガイドする固定エッジガイド２３と可動エッジガイド２４等を備えている。
【００１９】
第１サポート２１は、平板状に形成されてフレーム１３２の後壁内側に格納・引出自在に配設され、第２サポート２２は、平板状に形成されて第１サポート２１に格納・引出自在に配設されている。第１サポート２１及び第２サポート２２は、給紙方向に伸縮自在に形成されているので、不使用のときはコンパクトに格納しておくことができ、また使用のときは種々のサイズの用紙を確実にサポートすることができる。
【００２０】
また、固定エッジガイド２３は、フレーム１３２の装置前面側から見て右側壁に沿う形状でホッパ３１と一体形成され、可動エッジガイド２４は、フレーム１３２の装置前面側から見て左側壁に沿う形状に形成され、フレーム１３２の左側壁と右側壁の間をフレーム１３２の後壁と略平行に移動可能なようにホッパ３１に取り付けられている。固定エッジガイド２３と可動エッジガイド２４は、用紙のサイズが異なっても確実に用紙の両側縁をガイドすることができるので、給送を高精度に行うことができる。
【００２１】
給排紙部１４０には、図２及び図３に示すように、前方に向かって矩形状に開口したフロント給排紙口１４１が形成され、このフロント給排紙口１４１の下側に給紙トレイ１４２が配設され、給紙トレイ１４２の上側に排紙トレイ１４３が配設されている。そして、フロント給排紙口１４１の奧には、図３に示すように、給紙トレイ１４２に収納されている用紙を１枚ずつ自動的に給送する前面給紙機構（以下、フロントＡＳＦという）１４４と、排紙トレイ１４３に用紙を自動的に排送する前面排紙機構（以下、フロントＥＪという）１４５が配設されている。このフロントＡＳＦ１４４については後述し、ここでは給紙トレイ１４２、排紙トレイ１４３及びフロントＥＪ１４５について説明する。
【００２２】
給紙トレイ１４２は、図２及び図３に示すように、平板状に形成されており、上面に記録前の給紙される用紙が積層収納されるようなっている。排紙トレイ１４３は、図２及び図３に示すように、第１トレイ１４３ａ、第２トレイ１４３ｂ及び第３トレイ１４３ｃを備えている。第１トレイ１４３ａは、平板状に形成されて後部が給排紙部１４０の奧の本体フレーム１０８に回動自在に配設され、第２トレイ１４３ｂは、平板状に形成されて第１トレイ１４３ａに格納・引出自在に配設され、第３トレイ１４３ｃは、平板状に形成されて第２トレイ１４３ｂに格納・引出自在に配設されている。
【００２３】
排紙トレイ１４３は、第２トレイ１４３ｂ及び第３トレイ１４３ｃが引き出された状態で、上面に記録後の排紙される用紙が積層載置されるようなっている。第２トレイ１４３ｂ及び第３トレイ１４３ｃは、排紙方向に伸縮自在に形成されているので、不使用のときはコンパクトに格納しておくことができ、また使用のときは種々のサイズの排紙される用紙を確実に積層載置することができる。なお、この給排紙部１４０は、給排紙時に折り曲げることが不可能な厚手の用紙や光ディスク等が収納されたトレイを手差しで給紙、供給することが可能なようにも形成されている。
【００２４】
フロントＥＪ１４５は、図３に示すように、第１排紙ローラ５１と第１ギザローラ５２、第２排紙ローラ５３と第２ギザローラ５４等を備えている。第１排紙ローラ５１は、プラテン１５５の搬送下流側に配設されており、プラテン１５５を通過してくる用紙を第１ギザローラ５２とともに挟持して排送し、さらに第２排紙ローラ５３は、第１排紙ローラ５１の搬送下流側に配設されており、その用紙を第２ギザローラ５４とともに挟持して排紙トレイ１４３上へ排送するようになっている。
【００２５】
図５は、フロントＡＳＦ１４４の詳細を示す側面図、図６は、リアＡＳＦ１３４とフロントＡＳＦ１４４の詳細を示す斜視図であり、図３〜図６を参照して説明する。リアＡＳＦ１３４は、ペーパーサポート１３３にサポートされている用紙を給送するために持ち上げるホッパ３１、このホッパ３１により持ち上げられた用紙を取り出す給紙ローラ３２、この給紙ローラ３２により重送された用紙を１枚のみに分離するリタードローラ３３、このリタードローラ３３により分離された残りの用紙をホッパ３１へ戻すリア紙戻しユニット３４等を備えている。
【００２６】
ホッパ３１は、用紙が載置可能な平板状に形成されてフレーム１３２の後壁と略平行に配設されており、下端が給紙ローラ３２の近傍に位置し、上端がフレーム１３２の後壁頂部に近接して位置するように配設されている。そして、ホッパ３１は、下端側の裏面にフレーム１３２の後壁に一端が取り付けられた図示しない圧縮バネの他端が取り付けられており、この圧縮バネの伸縮により上端側を中心に下端側が旋回するように配設されている。
【００２７】
給紙ローラ３２は、断面の一部が切り欠かれたＤ字状に形成されてホッパ３１の下端近傍に配設されており、間欠的に回転してホッパ３１により持ち上げられた用紙を摩擦給送するようになっている。リタードローラ３３は、給紙ローラ３２と当接可能に配設されており、給紙ローラ３２により用紙が重送されたときに最上層の用紙のみを下層の用紙から摩擦分離するようになっている。リア紙戻しユニット３４は、爪状に形成されて給紙ローラ３２の近傍に配設されており、リタードローラ３３により分離された下層の用紙を爪に掛けてホッパ３１へ戻すようになっている。
【００２８】
フロントＡＳＦ１４４は、給紙トレイ１４２に収納されている用紙を取り出すピックアップローラユニット４１、このピックアップローラユニット４１により取り出された用紙の向きを変える土手部４２を備えている。さらに、ピックアップローラユニット４１により重送された用紙を１枚のみに分離するリタードローラユニット４３、このリタードローラユニット４３により分離された残りの用紙を給紙トレイ１４２に戻すフロント紙戻しユニット４４、給送される用紙をＵ字状に反転させる中間ローラ４５及びアシストローラ４６等を備えている。
【００２９】
ピックアップローラユニット４１は、給紙トレイ１４２の後部上方に配置され給紙トレイ１４２に対して上下に旋回自在に配設されており、下降して給紙トレイ１４２に収納されている用紙を摩擦給送するようになっている。土手部４２は、給紙トレイ１４２の後部にて後方に向けて傾斜するように配設されており、ピックアップローラユニット４１により給送される用紙の先端を上方に方向変換するようになっている。
【００３０】
リタードローラユニット４３は、中間ローラ４５と当接可能に配設されており、ピックアップローラユニット４１により用紙が重送されたときに最上層の用紙のみを下層の用紙から摩擦分離するようになっている。フロント紙戻しユニット４４は、爪状に形成されてリタードローラユニット４３の近傍に配設されており、リタードローラユニット４３により分離された下層の用紙を爪に掛けて給紙トレイ１４２へ戻すようになっている。アシストローラ４６は、中間ローラ４５に対して常時当接するように配設されており、リタードローラユニット４３により分離された最上層の用紙を中間ローラ４５と挟持してＵ字状に反転させ、プラテン１５５へ給送するようになっている。
【００３１】
リアＡＳＦ１３４とフロントＡＳＦ１４４は、同一の給紙モータ６１で駆動される。すなわち、リアＡＳＦ１３４は、給紙モータ６１に連結されているリアＡＳＦ歯車機構６２により駆動される。一方、ピックアップローラユニット４１を除くフロントＡＳＦ１４４は、給紙モータ６１に連結されているフロントＡＳＦ歯車機構６３により駆動される。そして、ピックアップローラユニット４１は、フロントＡＳＦ歯車機構６３に連結されているピックアップローラユニット駆動機構６４により駆動される。
【００３２】
このピックアップローラユニット駆動機構６４は、フロントＡＳＦ歯車機構６３に連結されている伝達ベルト機構６５と、この伝達ベルト機構６５に連結されている伝達軸機構６６と、この伝達軸機構６６に連結されている昇降機構６７及び伝達ベルト機構６８を備えている。そして、リアＡＳＦ歯車機構６２と、フロントＡＳＦ歯車機構６３及びピックアップローラユニット駆動機構６４との駆動切替を行うクラッチ機構７０を備えている。
【００３３】
記録部１５０には、図３に示すように、記録動作に同期して副走査方向に用紙を送る紙送りローラ１５１とその従動ローラ１５２、記録動作に同期して主走査方向に移動する本発明の特徴的な部分を含むキャリッジ１５３、記録動作に同期してインクを吐出する記録ヘッド１５４、記録時の用紙を平坦に保持するプラテン１５５等が配設されている。なお、本発明の特徴的な部分は、リアＡＳＦ１３４とフロントＡＳＦ１４４を切り替える切替手段として機能する後述するリア給紙トリガ７４及びフロント紙戻しトリガ７５に対するキャリッジ１５３の移動制御にあり、詳細は後述する。
【００３４】
紙送りローラ１５１は、図３に示すように、プラテン１５５の搬送上流側に配設されており、給紙ローラ３２により給送される用紙もしくは中間ローラ４５により反転給送される用紙を図２に示す紙送り機構１５６及び図示しない紙送りモータにより従動ローラ１５２とともに挟持してプラテン１５５へ送り出すようになっている。キャリッジ１５３は、プラテン１５５の上方で図３に示すキャリッジガイド軸１５７に貫装されて図２に示すキャリッジベルト１５８に連結されており、図２に示すキャリッジモータ１５９によってキャリッジベルト１５８が作動すると、キャリッジベルト１５８の動きに連行され、キャリッジガイド軸１５７に案内されて往復移動するようになっている。
【００３５】
記録ヘッド１５４は、図３に示すように、プラテン１５５と所定の間隔が空くようにしてキャリッジ１５３に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１５４は、圧力発生室とそれに繋がるノズル開口が設けられており、圧力発生室内にインクを貯留して所定圧で加圧することにより、ノズル開口から用紙に向けてコントロールされた大きさのインク滴を吐出するようになっている。次に、リアＡＳＦ歯車機構６２、フロントＡＳＦ歯車機構６３、ピックアップローラユニット駆動機構６４、クラッチ機構７０について、さらに図を参照して説明する。
【００３６】
図７は、リアＡＳＦ歯車機構６２、フロントＡＳＦ歯車機構６３、クラッチ機構７０の詳細を示す斜視図、図８は、ピックアップローラユニット４１周辺の詳細を示す斜視図である。リアＡＳＦ歯車機構６２は、図７に示すように、給紙モータ６１の軸に嵌入されたピニオン６１ａと噛み合うリア第１平歯車６２ａ、このリア第１平歯車６２ａと噛み合うリア第２平歯車６２ｂを備えている。フロントＡＳＦ歯車機構６３は、図７に示すように、給紙モータ６１の軸に嵌入されたピニオン６１ａと噛み合うフロント第１平歯車６３ａ、このフロント第１平歯車６３ａと噛み合うフロント第２平歯車６３ｂ、このフロント第２平歯車６３ｂと噛み合い、かつ伝達ベルト機構６５のピックアップ第１平歯車６５ａと噛み合うフロント第３平歯車６３ｃを備えている。
【００３７】
クラッチ機構７０は、図７に示すように、給紙モータ６１の軸に嵌入されたピニオン６１ａと噛み合うトリガ第１平歯車７１、このトリガ第１平歯車７１と噛み合うトリガ第２平歯車７２、このトリガ第２平歯車７２と噛み合うトリガ第３平歯車７３、このトリガ第３平歯車７３と同軸に揺動自在に配設されたリア給紙トリガ７４及びフロント紙戻しトリガ７５を備えている。さらに、給紙ローラ３２の軸に配設され、リア給紙トリガ７４の後方向・前方向の揺動によりオン・オフするリアクラッチユニット７６、フロント紙戻しユニット４４の軸に配設され、紙戻しトリガ７５の後方向・前方向の揺動によりオン・オフするフロントクラッチユニット７７を備えている。なお、リア給紙トリガ７４及びフロント紙戻しトリガ７５の後方向の揺動によるオン状態は、キャリッジ１５３の後部に配設されているリップ１５３ａにより規制されるようになっている。
【００３８】
ピックアップローラユニット４１は、図６に示すように、ピックアップホルダ６０に配設されたピックアップローラ６９及びピックアップローラユニット駆動機構６４を備えている。ピックアップホルダ６０は、平箱状に形成されており、一端側に軸支持された伝達軸機構６６を構成する伝達軸６６ａを中心に他端側が旋回自在に配設されている。ピックアップローラ６９は、円筒状に形成されており、２つのピックアップローラ６９が、ピックアップホルダ６０の他端側に軸支持されたピックアップローラ軸６９ａに間隔を空けて配設されている。
【００３９】
伝達ベルト機構６５は、図６に示すように、フロントＡＳＦ歯車機構６３のフロント第３平歯車６３ｃと同軸に配設された第１プーリ６５ｂ、伝達軸６６ａの一端に嵌入されたピックアップ第１歯車６６ｂと噛み合うピックアップ第２平歯車６５ｃ、このピックアップ第２平歯車６５ｃと同軸に配設された第２プーリ６５ｄ、第１プーリ６５ｂと第２プーリ６５ｄに掛け渡されたベルト６５ｅを備えている。伝達軸機構６６は、伝達軸６６ａとその両端に嵌入されたピックアップ第１歯車６６ｂ及びピックアップ第２歯車６６ｃを備えている。
【００４０】
昇降機構６７は、図８に示すように、伝達軸機構６６の第２歯車６６ｃと並設された太陽歯車６７ａ、この太陽歯車６７ａと噛み合う第１遊星歯車６７ｂ及び第２遊星歯車６７ｃ、この第１遊星歯車６７ｂ及び第２遊星歯車６７ｃとそれぞれ噛み合う第１ラック歯６７ｄ及び第２ラック歯６７ｅ、この第１ラック歯６７ｄ及び第２ラック歯６７ｅと傾斜面６７ｆが形成されているカムピックアップ６７ｇ、ピックアップホルダ６０の側面に形成され、カムピックアップ６７ｇの傾斜面６７ｆと摺動するカム６７ｈ、カムピックアップ６７ｇを所定位置に位置決めする２安定バネ６７ｉを備えている。
【００４１】
第１遊星歯車６７ｂと第２遊星歯車６７ｃは、軸方向及び径方向に互いにずらして配設されている。また、第１ラック歯６７ｄと第２ラック歯６７ｅは、長手方向及び幅方向に互いにずらして形成されている。このような配置とすることにより、一方の第１遊星歯車６７ｂまたは第２遊星歯車６７ｃが第１ラック歯６７ｄまたは第２ラック歯６７ｅと噛み合っているときは、他方の第２遊星歯車６７ｃまたは第１遊星歯車６７ｂが第２ラック歯６７ｅまたは第１ラック歯６７ｄと離れているという状態を形成することができる。
【００４２】
伝達ベルト機構６８は、図８に示すように、伝達軸機構６６のピックアップ第２歯車６６ｃと噛み合うピックアップ平歯車６８ａ、ピックアップ平歯車６８ａと同軸に配設された第１プーリ６８ｂ、ピックアップローラ軸６９ａの一端に嵌入された第２プーリ６８ｃ、第１プーリ６８ｂと第２プーリ６８ｃに掛け渡されたベルト６８ｄを備えている。以上のような構成のリアＡＳＦ１３４とフロントＡＳＦ１４４の動作について図を参照して説明する。
【００４３】
図９は、リアＡＳＦ１３４の動作を説明するフローチャート、図１０は、そのときのリア給紙トリガ７４及びフロント紙戻しトリガ７５とキャリッジ１５３のリップ１５３ａの動作を示す図、図１１は、リア給紙時のリアＡＳＦ歯車機構６２、クラッチ機構７０の状態を示す斜視図である。リア給紙前の状態では、リア給紙トリガ７４及びフロント紙戻しトリガ７５は後方向に位置しており、キャリッジ１５３はホームポジションに位置しているとする（図１０（Ａ））。
【００４４】
そして、キャリッジ１５３がトリガ側へ移動してリップ１５３ａがフロント紙戻しトリガ７５の前方向の揺動を規制すると（図９のステップＳ１、図１０（Ｂ））、給紙モータ６１が逆転（ＣＣＷ）してリア給紙トリガ７４が前方向へ揺動する（図９のステップＳ２、図１０（Ｂ）、図１１）。そして、リアクラッチユニット７６がオンして給紙ローラ３２が回転し最上層の用紙を給紙する。その後、給紙モータ６１が正転（ＣＷ）してリア給紙トリガ７４が後方向へ揺動し、リアクラッチユニット７６がオンし、リア給紙が開始される（図９のステップＳ３、図１０（Ｃ））。
【００４５】
図１２は、フロントＡＳＦ１４４の動作を説明するフローチャート、図１３は、そのときのリア給紙トリガ７４及びフロント紙戻しトリガ７５とキャリッジ１５３のリップ１５３ａの動作を示す図、図１４は、フロント給紙時のフロントＡＳＦ歯車機構６３、クラッチ機構７０の状態を示す斜視図である。フロント給紙前の状態では、リア給紙トリガ７４及びフロント紙戻しトリガ７５は後方向に位置しており、キャリッジ１５３はホームポジションに位置しているとする（図１３（Ａ））。
【００４６】
そして、キャリッジ１５３がトリガ側へ移動してリップ１５３ａがリア給紙トリガ７４の前方向の揺動を規制すると（図１２のステップＳ１、図１３（Ｂ））、給紙モータ６１が逆転（ＣＣＷ）してフロント紙戻しトリガ７５が前方向へ揺動する（図１２のステップＳ２、図１３（Ｂ）、図１４）。そして、フロントクラッチユニット７７がオンしてフロント紙戻しユニット４４が回転し下層の用紙を押し戻す。その後、給紙モータ６１が正転（ＣＷ）してフロント紙戻しトリガ７５が後方向へ揺動する（図１２のステップＳ３、図１３（Ｃ））。そして、フロントクラッチユニット７７がオフし、キャリッジ１５３が移動してリップ１５３ａがリア給紙トリガ７４及びフロント紙戻しトリガ７５の前方向の揺動を規制する（図１２のステップＳ４、図１３（Ｃ））。そして、給紙モータ６１が逆転（ＣＣＷ）してフロント給紙が開始される（図１２のステップＳ５、図１０（Ｃ））。
【００４７】
このような構成において、インクジェット式複合機１００にて用紙に記録する場合の動作について説明する。上述したように、ユーザは、リア給紙を行うかフロント給紙を行うかをプリンタドライバにより選択することができる。ユーザが、リア給紙を選択した場合、先ず、ユーザは、ペーパーサポート１３３の第２サポート２２を第1サポート２１から完全に引き出すとともに、第1サポート２１をフレーム１３２から完全に引き出してセットする。そして、記録前の複数枚の用紙をペーパーサポート１３３に収納してインクジェット式複合機１００を起動する。
【００４８】
すると、上述したキャリッジ１５３及びリア給紙トリガ７４及びフロント紙戻しトリガ７５の動作によりリアＡＳＦ１３４に切り替えられ、ペーパーサポート１３３に積層収納された用紙は、給紙ローラ３２の回転に機械的に同期した圧縮バネの復元によるホッパ３１の上昇により給紙ローラ３２に押付けられ、最上層の用紙のみがリタードローラ３３により分離されて紙送りローラ１５１へ給送される。そして、用紙は、スキュー取り及び頭出しされた後、紙送り機構１５６により駆動されている紙送りローラ１５１とその従動ローラ１５２に挟持されてプラテン１５５へ給送される。
【００４９】
一方、ユーザが、フロント給紙を選択した場合、先ず、ユーザは、記録前の複数枚の用紙を給紙トレイ１４２に収納してインクジェット式複合機１００を起動する。すると、上述したキャリッジ１５３及びリア給紙トリガ７４及びフロント紙戻しトリガ７５の動作によりフロントＡＳＦ１４４に切り替えられ、給紙トレイ１４２に積層収納された用紙は、ピックアップローラユニット４１により中間ローラ４５に摩擦給送され、最上層の用紙のみがリタードローラユニット４３により分離されて給送される。そして、用紙は、スキュー取り及び頭出しされた後、紙送り機構１５６により駆動されている紙送りローラ１５１とその従動ローラ１５２に挟持されてプラテン１５５へ給送される。
【００５０】
プラテン１５５へ給送された用紙は、キャリッジモータ１５９とキャリッジベルト１５８により走査されるキャリッジ１５３に搭載された記録ヘッド１５４により記録される。このとき、インクジェット式複合機１００の制御部は、例えばイエロー、マゼンタ、ライトマゼンタ、シアン、ライトシアン、ブラックの計７色のインクカートリッジから記録ヘッド１５４へ各色インクを供給し、各色インクの吐出タイミング及びキャリッジ１５３や紙送りローラ１５１の駆動を制御して、高精度なインクドット制御、ハーフトーン処理等を実行する。そして、記録が完了した用紙は、紙送り機構１５６により駆動されている第１排紙ローラ５１と第１ギザローラ５２、第２排紙ローラ５３と第２ギザローラ５４に挟持されて給排紙部１４０へ排紙され、排紙トレイ１４３上へ積層載置される。
【００５１】
ここで、用紙がリアＡＳＦ１３４から連続給紙される場合、現在の用紙を紙送りローラ１５１により排出するための紙送りモータの正転駆動と、次の用紙をリアＡＳＦ１３４により給紙するための給紙モータ６１の逆転駆動が同時に実施されることになる。このため、フロント紙戻しトリガ７５の解除動作によりフロントクラッチユニット７７がオンしてフロント紙戻しユニット４４が回転する紙戻し動作が実行されてしまう場合がある。
【００５２】
そこで、この点を回避するために、現在の用紙の記録が完了したら、フロント紙戻しトリガ７５を解除させない位置にキャリッジ１５３を停止させる必要がある。また、記録処理のスループットを向上させるために、キャリッジ１５３を上記停止位置から次の用紙の記録開始位置まで短時間で移動させる必要もある。本実施形態では、これらの点を実現するようにキャリッジ１５３を制御しており、図を参照して以下説明する。
【００５３】
図１５は、キャリッジ１５３の移動範囲における所定動作実行位置を示す図である。なお、以下ではインクジェット式プリンタ１００の前面側から見て右側を一側端部側、左側を他側端部側という。一側端部側にはキャリッジ１５３のホームポジション[ＨＯＭＥ]が設定されており、他側端部側に向かって以降順に、フラッシング補助ポジション[Ｒ]（メンテナンス位置）、フロント給紙ポジション[ＦＰＦ]、一側端部側スタンバイ加速開始ポジション[Ｄ]、リア給紙ポジション[ＲＰＦ]、他側端部側スタンバイ加速開始ポジション[Ｆ]、他側端部側フラッシングポジション[Ｉ]が設定されている。
【００５４】
そして、上記リア給紙ポジション[ＲＰＦ]が、上述したフロント紙戻しトリガ７５を解除させない特定の位置である。したがって、連続給紙時において現在の用紙の記録完了後にキャリッジ１５３をリア給紙ポジション[ＲＰＦ]で停止させることにより、フロントクラッチユニット７７がオンしてフロント紙戻しユニット４４が回転する紙戻し動作の実行を回避することができる。また、このリア給紙ポジション[ＲＰＦ]は、一側端部側スタンバイ加速開始ポジション[Ｄ]と他側端部側スタンバイ加速開始ポジション[Ｆ]の間であって用紙の一側端部に近接した位置に配置されている。したがって、連続給紙時においてキャリッジ１５３を次の用紙の記録開始位置である一側端部側スタンバイ加速開始ポジション[Ｄ]まで短時間で移動させることができる。
【００５５】
図１６は、用紙がリアＡＳＦ１３４から連続給紙されるときの印刷データ受信から印刷終了までの概略動作を示すフローチャートである。先ず、印刷データを受信したら（ステップＳ１）、給紙モータ（ＡＳＦモータ）６１によるリア給紙処理を行う（ステップＳ２）。そして、印刷を開始し（ステップＳ３）、印刷データが無くなるまで印刷を継続する（ステップＳ４）。印刷データが無くなったら、次ページの有無を確認し（ステップＳ５）、次ページが無い場合はキャリッジモータ（ＣＲモータ）１５９によりキャリッジ１５３をフラッシング補助ポジション[Ｒ]で停止させる（ステップＳ６）。そして、紙送りモータ（ＰＦモータ）により用紙を排出処理し（ステップＳ７）、印刷を終了する（ステップＳ８）。
【００５６】
一方、ステップＳ５において、次ページが有る場合はキャリッジ１５３が一側端部側から他側端部側に向かって移動中であるか否かを確認する（ステップＳ９）。そして、キャリッジ１５３が一側端部側から他側端部側に向かって移動中でないときは、キャリッジ１５３の停止ポジションがリア給紙ポジション[ＲＰＦ]とホームポジション[ＨＯＭＥ]の間であるか否かを確認する（ステップＳ１０）。
【００５７】
そして、キャリッジ１５３の停止ポジションがリア給紙ポジション[ＲＰＦ]とホームポジション[ＨＯＭＥ]の間であるときは、キャリッジモータ（ＣＲモータ）１５９によりキャリッジ１５３をロジカルシークエンドと減速ステップ数を加えた位置で一旦停止させる（ステップＳ１１）。そして、その後にキャリッジモータ（ＣＲモータ）１５９によりキャリッジ１５３をリア給紙ポジション[ＲＰＦ]で停止させる（ステップＳ１２）。一方、ステップＳ１０において、キャリッジ１５３の停止ポジションがリア給紙ポジション[ＲＰＦ]とホームポジション[ＨＯＭＥ]の間でないときは、キャリッジモータ（ＣＲモータ）１５９によりキャリッジ１５３をリア給紙ポジション[ＲＰＦ]で停止させる（ステップＳ１２）。
【００５８】
そして、紙送りモータ（ＰＦモータ）による用紙排出動作と、給紙モータ（ＡＳＦモータ）６１によるリア給紙トリガ７４の外し動作（リアクラッチユニット７６がオンして給紙ローラ３２が回転する動作）を平行処理し（ステップＳ１３、１４）、前ページを排出終了させる（ステップＳ１５）とともに、ステップＳ２に戻って給紙モータ（ＡＳＦモータ）６１による次ページのリア給紙処理を行う。
【００５９】
以上のように、本実施形態のインクジェット式複合機１００によれば、用紙がリアＡＳＦ１３４から連続給紙される場合、現在の用紙の記録が完了したらキャリッジ１５３をリア給紙ポジション[ＲＰＦ]に常に位置決めするようにしている。したがって、フロント紙戻しトリガ７５が解除動作しないようにして、フロントクラッチユニット７７がオンしてフロント紙戻しユニット４４が回転する紙戻し動作が実行されないようにすることができる。また、次の用紙の記録開始位置である一側端部側スタンバイ加速開始ポジション[Ｄ]まで短時間で移動させてスループットを向上させることができる。なお、上述した実施形態では、用紙がリアＡＳＦ１３４から連続給紙される場合について説明したが、用紙がフロントＡＳＦ１４４から連続給紙される場合でも適用可能である。
【産業上の利用可能性】
【００６０】
媒体給送装置を備えた記録装置や読取装置であれば、例えばファクシミリ装置、コピー装置、スキャナ等であっても適用可能である。また、記録装置や読取装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００６１】
【図１】本発明の一実施の形態に係る記録装置の１つであるインクジェット式複合機の外観構成の全体を示す斜視図である。
【図２】図１の複合機の内部構造を示す斜視図である。
【図３】図２の複合機の内部構造の概略側面図である。
【図４】図１の複合機のペーパーサポートとリアＡＳＦの詳細を示す側面図である。
【図５】図１の複合機のフロントＡＳＦの詳細を示す側面図である。
【図６】図１の複合機のリアＡＳＦとフロントＡＳＦの詳細を示す斜視図である。
【図７】図６のリアＡＳＦ歯車機構、フロントＡＳＦ歯車機構、クラッチ機構の詳細を示す斜視図である。
【図８】図６のピックアップローラユニット周辺の詳細を示す斜視図である。
【図９】図６のリアＡＳＦの動作を説明するフローチャートである。
【図１０】図９のリア給紙トリガ及びフロント紙戻しトリガとキャリッジのリップの動作を示す図である。
【図１１】図９のリア給紙時のリアＡＳＦ歯車機構、クラッチ機構の状態を示す斜視図である。
【図１２】図６のフロントＡＳＦの動作を説明するフローチャートである。
【図１３】図１２のリア給紙トリガ及びフロント紙戻しトリガとキャリッジのリップの動作を示す図である。
【図１４】図１２のリア給紙時のリアＡＳＦ歯車機構、クラッチ機構の状態を示す斜視図である。
【図１５】図１の複合機のキャリッジの移動範囲における所定動作実行位置を示す図である。
【図１６】用紙が連続給紙されるときの概略動作を示すフローチャートである。
【符号の説明】
【００６２】
２１  第１サポート、２２  第２サポート、２３  固定エッジガイド、２４  可動エッジガイド、３１  ホッパ、３２  給紙ローラ、４１  ピックアップローラユニット、４３  リタードローラユニット、４４  フロント紙戻しユニット、４５  中間ローラ、６０  ピックアップホルダ、６１  給紙モータ、６２  リアＡＳＦ歯車機構、６３  フロントＡＳＦ歯車機構、６４  ピックアップローラ駆動機構、６７  昇降機構、６９  ピックアップローラ、７０  クラッチ機構、７４  リア給紙トリガ、７５  フロント紙戻しトリガ、７６  リアクラッチユニット、７７  フロントクラッチユニット、１００  インクジェット式複合機、１０１  ハウジング、１１０  プリンタ、１２０  スキャナ、１３０  給紙部、１３１  リア給紙口、１３２  フレーム、１３３  ペーパーサポート、１３４  リアＡＳＦ、１４０  給排紙部、１４４  フロントＡＳＦ、１５０  記録部、１５１  紙送りローラ、１５３  キャリッジ、１５３ａ  リップ、１５６  紙送り機構
【図１】
2006116828.tif 000003
【図２】
2006116828.tif 000004
【図３】
2006116828.tif 000005
【図４】
2006116828.tif 000006
【図５】
2006116828.tif 000007
【図６】
2006116828.tif 000008
【図７】
2006116828.tif 000009
【図８】
2006116828.tif 000010
【図９】
2006116828.tif 000011
【図１０】
2006116828.tif 000012
【図１１】
2006116828.tif 000013
【図１２】
2006116828.tif 000014
【図１３】
2006116828.tif 000015
【図１４】
2006116828.tif 000016
【図１５】
2006116828.tif 000017
【図１６】
2006116828.tif 000018